(57)【要約】【課題】二つの部材を確実に接合することができ、しかも接合した部分が外部から見えない噛合せ技法及び噛合せ構造体を提供する。【解決手段】第一の中央部と、第一の中央部の周端に一定の間隔をあけて連なり第一の中央部から放射状に延びるように形成された複数の第一の放射状周辺部12とを備える第一の部材10と、第一の中央部と略同じ大きさの第二の中央部と、第二の中央部の周端に一定の間隔をあけて連なり第二の中央部から放射状に延びるように形成された複数の第二の放射状周辺部22とを備える第二の部材20を備え、中央部付近における放射状周辺部の幅と前記一定の間隔の幅とを略同じに形成し、第一の部材10と前記第二の部材20とを対向させ、放射状周辺部を相手の部材側に曲げて相手の部材の放射状周辺部と放射状周辺部との間に嵌め込み、両部材を噛合せるようにして接合する。【選択図】図１
2010075476.tif 000002
【特許請求の範囲】
【請求項１】
第一の中央部と、前記第一の中央部の周端に間隔をあけて連なり前記第一の中央部から延びるように形成された複数の第一の周辺部とを備える第一の部材と、
前記第一の中央部と略同じ大きさの第二の中央部と、前記第二の中央部の周端に間隔をあけて連なり前記第二の中央部から延びるように形成された前記第一の周辺部と同数の第二の周辺部とを備える第二の部材と、
を具備し、
前記第一の中央部付近における前記第一の周辺部の幅と、対応する前記第二の部材の前記第二の中央部付近における前記間隔とを略同じ大きさに形成し、前記第二の中央部付近における前記第二の周辺部の幅と、対応する前記第一の部材の前記第一の中央部付近における前記間隔とを略同じ大きさに形成し、前記第一の部材と前記第二の部材とを対向させ、前記周辺部を相手の部材側に曲げて相手の部材の対応する周辺部と周辺部との間に嵌め込み、前記第一の周辺部と前記第二の周辺部とを噛合せるようにして接合することを特徴とする噛合せ構造体。
【請求項２】
前記第一の部材及び前記第二の部材はシート状部材を用いて形成したものであることを特徴とする請求項１記載の噛合せ構造体。
【請求項３】
前記間隔が一定の間隔であり、前記第一の部材と前記第二の部材について前記中央部付近における前記周辺部の幅と前記一定の間隔とを略同じ大きさに形成したことを特徴とする請求項１又は２記載の噛合せ構造体。
【請求項４】
前記周辺部の、少なくとも前記中央部近傍における幅は前記中央部の周端から離れるに従って広くなるように形成されていることを特徴とする請求項１乃至３の何れか１項に記載の噛合せ構造体。
【請求項５】
前記第一の周辺部と前記第二の周辺部とは長さ及び（又は）色付けが異なることを特徴とする請求項１乃至４の何れか１項に記載の噛合せ構造体。
【請求項６】
前記第一の中央部と前記第二の中央部とは直接或いは中間部材を介して接していることを特徴とする請求項１乃至５の何れか１項に記載の噛合せ構造体。
【請求項７】
前記第一の中央部と前記二の中央部とは接着手段を用いて接合されていることを特徴とする請求項１乃至６の何れか１項に記載の噛合せ構造体。
【請求項８】
前記第一の部材と前記第二の部材の素材は、各部材を曲げて形状を変えたときに、変形した形状を維持することができるものであることを特徴とする請求項１乃至７の何れかに記載の噛合せ構造。
【請求項９】
前記第一の部材と前記第二の部材の素材は、豚の生革又は前記豚の生革と略同等の大きさの毛穴を有する獣類の生革の表面にアルコール染料及び（又は）絵の具を塗布し、その上に仕上げ剤を塗布したものであることを特徴とする請求項１乃至７の何れか１項に記載の噛合せ構造体。
【請求項１０】
前記第一の部材及び前記第二の部材の素材は、紙、布、なめし革又は樹脂であることを特徴とする請求項１乃至７の何れか１項に記載の噛合せ構造体。
【請求項１１】
中央部と、前記中央部の周端に間隔をあけて連なり前記中央部から延びるように形成された複数の周辺部とを有する基部材を備え、
前記中央部を二分割する二等分線で前記基部材を折り曲げて前記中央部を重ね合わたせときに、折り曲げた一方の前記中央部に形成された周辺部の数が折り曲げた他方の前記中央部の周辺部の数と同じか或いは一つ多くなるように形成し、且つ折り曲げた一方の前記中央部の前記周辺部が折り曲げた他方の前記中央部の前記間隔に対向するように、また折り曲げた他方の前記中央部の前記周辺部が折り曲げた一方の前記中央部の前記間隔に対向するように前記基部材を形成し、
折り曲げた一方の前記中央部付近における前記周辺部の幅と、折り曲げた他方の中央部の対応する前記間隔とを略同じ大きさに形成し、折り曲げた他方の前記中央部付近における前記周辺部の幅と、折り曲げた一方の中央部の対応する前記間隔とを略同じ大きさに形成し、
前記折り曲げた基部材の前記周辺部を対向する中央部側に曲げて対向する中央部の対応する周辺部と周辺部との間に嵌め込み、折り曲げた一方の中央部の周辺部と他方の中央部の周辺部とを噛合せるようにして二つに折り曲げた前記基部材を接合することを特徴とする噛合せ構造体。
【請求項１２】
第一の中央部と、前記第一の中央部の周端に間隔をあけて連なり前記第一の中央部から延びるように形成された複数の第一の周辺部とを備える第一の部材と、
前記第一の中央部と略同じ大きさの第二の中央部と、前記第二の中央部の周端に間隔をあけて連なり前記第二の中央部から延びるように形成された前記第一の周辺部と同数の第二の周辺部と備える第二の部材とを、
前記第一の中央部付近における前記第一の周辺部の幅と、対応する前記第二の部材の前記第二の中央部付近における前記間隔とが略同じ大きさになるように形成し、また、前記第二の中央部付近における前記第二の周辺部の幅と、対応する前記第一の部材の前記第一の中央部付近における前記間隔とが略同じ大きさになるように形成し、
前記第一の部材と前記第二の部材とを対向させ、前記周辺部を相手の部材側に曲げて相手の部材の対応する周辺部と周辺部との間に嵌め込み、前記第一の周辺部と前記第二の周辺部とを噛合せるようにして接合することを特徴とする噛合せ技法。
【発明の詳細な説明】
【技術分野】
【０００１】
本発明は、二つの部材を噛合せるようにして接合する噛合せ技法及び二つの部材を噛合せるようにして接合する噛合せ構造体に関するものである。
【背景技術】
【０００２】
従来から、例えば、ブローチ等の装飾品を製作する際に、二つの部材を接合して製作する場合がある。この場合、一般的には、二つの部材を接着剤や接着テープ等を用いて接合している。例えば、二つの部材として、特許文献１に開示されている、成型した豚の生革にアルコール染料を塗布し、その上にウレタンを塗布した素材を用いる場合、接着剤を用いて二つの部材を接合している。
【特許文献１】特開平６−２７９８００号公報
【発明の開示】
【発明が解決しようとする課題】
【０００３】
しかしながら、豚の生革に染料やウレタンが塗布されていると、塗布された染料やウレタンの膜により、二つの部材を接着剤により確実に貼り合わせることが難しく、貼り合わせた二つの部材が剥がれてしまうことがある。このため、二つの部材を確実に貼り合わせるときには、ヤスリ等を用いて、塗布された染料やウレタンの膜を剥がしてから接着剤を塗って二つの部材を接合している。したがって、従来の二つの部材を接合する方法では、手間がかかるという問題があった。
【０００４】
また、従来の、二つの部材を接合する方法では、例えば装身具や装飾品のような作品を製作する場合、接合部が外部から見えるので、見栄えが悪いという問題があった。
【０００５】
本発明は上記事情に基づいてなされたものであり、二つの部材を確実に接合することができ、しかも接合した部分が外部から見えない噛合せ技法及び噛合せ構造体を提供することを目的とするものである。
【課題を解決するための手段】
【０００６】
上記の目的を達成するための本発明にかかる噛合せ構造体は、第一の中央部と、前記第一の中央部の周端に間隔をあけて連なり前記第一の中央部から延びるように形成された複数の第一の周辺部とを備える第一の部材と、前記第一の中央部と略同じ大きさの第二の中央部と、前記第二の中央部の周端に間隔をあけて連なり前記第二の中央部から延びるように形成された前記第一の周辺部と同数の第二の周辺部とを備える第二の部材と、を具備し、前記第一の中央部付近における前記第一の周辺部の幅と、対応する前記第二の部材の前記第二の中央部付近における前記間隔とを略同じ大きさに形成し、前記第二の中央部付近における前記第二の周辺部の幅と、対応する前記第一の部材の前記第一の中央部付近における前記間隔とを略同じ大きさに形成し、前記第一の部材と前記第二の部材とを対向させ、前記周辺部を相手の部材側に曲げて相手の部材の対応する周辺部と周辺部との間に嵌め込み、前記第一の周辺部と前記第二の周辺部とを噛合せるようにして接合することを特徴とする。
【０００７】
上記の目的を達成するための本発明にかかる噛合せ構造体は、中央部と、前記中央部の周端に間隔をあけて連なり前記中央部から延びるように形成された複数の周辺部とを有する基部材を備え、前記中央部を二分割する二等分線で前記基部材を折り曲げて前記中央部を重ね合わたせときに、折り曲げた一方の前記中央部に形成された周辺部の数が折り曲げた他方の前記中央部の周辺部の数と同じか或いは一つ多くなるように形成し、且つ折り曲げた一方の前記中央部の前記周辺部が折り曲げた他方の前記中央部の前記間隔に対向するように、また折り曲げた他方の前記中央部の前記周辺部が折り曲げた一方の前記中央部の前記間隔に対向するように前記基部材を形成し、折り曲げた一方の前記中央部付近における前記周辺部の幅と、折り曲げた他方の中央部の対応する前記間隔とを略同じ大きさに形成し、折り曲げた他方の前記中央部付近における前記周辺部の幅と、折り曲げた一方の中央部の対応する前記間隔とを略同じ大きさに形成し、前記折り曲げた基部材の前記周辺部を対向する中央部側に曲げて対向する中央部の対応する周辺部と周辺部との間に嵌め込み、折り曲げた一方の中央部の周辺部と他方の中央部の周辺部とを噛合せるようにして二つに折り曲げた前記基部材を接合することを特徴とする。
【０００８】
上記の目的を達成するための本発明にかかる噛合せ技法は、第一の中央部と、前記第一の中央部の周端に間隔をあけて連なり前記第一の中央部から延びるように形成された複数の第一の周辺部とを備える第一の部材と、前記第一の中央部と略同じ大きさの第二の中央部と、前記第二の中央部の周端に間隔をあけて連なり前記第二の中央部から延びるように形成された前記第一の周辺部と同数の第二の周辺部と備える第二の部材とを、前記第一の中央部付近における前記第一の周辺部の幅と、対応する前記第二の部材の前記第二の中央部付近における前記間隔とが略同じ大きさになるように形成し、また、前記第二の中央部付近における前記第二の周辺部の幅と、対応する前記第一の部材の前記第一の中央部付近における前記間隔とが略同じ大きさになるように形成し、前記第一の部材と前記第二の部材とを対向させ、前記周辺部を相手の部材側に曲げて相手の部材の対応する周辺部と周辺部との間に嵌め込み、前記第一の周辺部と前記第二の周辺部とを噛合せるようにして接合することを特徴とする。
【発明の効果】
【０００９】
本発明によれば、第一の部材の放射状周辺部と第二の部材の放射状周辺部とを曲げて相手の対応する放射状周辺部の間に嵌め込み、第一の放射状周辺部と第二の放射状周辺部とを噛合せるようにして接合することにより、接着剤などの接着手段を使用しなくても、両部材を確実に接合することができる。また、第一の部材と第二の部材を接合した部分の側部は、曲げた放射状周辺部により覆われるので、外部に露出しておらず、外部からは見えない。したがって本発明によれば、見栄えの向上を図ることができる。
【発明を実施するための最良の形態】
【００１０】
以下に、図面を参照して、本願に係る発明を実施するための最良の形態について説明する。なお、以下では、本発明の噛合せ構造体を装身具用部品に適用する場合について説明する。
【００１１】
［第１実施形態］  図１は本発明の第１実施形態である装身具用部品（噛合せ構造体）の概略斜視図、図２はその装身具用部品の第一の部材の概略正面図、図３はその装身具用部品の第一の部材を曲げた状態の概略斜視図、図４及び図５は本実施形態における噛合せ技法を説明するための概略斜視図である。なお、本実施形態及び以下で説明する第２実施形態から第８実施形態において使用する素材は、全て、シート状の豚の生革にアルコール染料及び（又は）アクリル絵の具や油絵の具等の絵の具を塗布し、その上にウレタンニスやラッカーなどの仕上げ剤を塗布したものである。なお、豚の生革の素材は、特許公報第2765429号公報に開示されており、公知のものであるので、その詳細な説明は省略する。また、本実施形態の第二の部材は、大きさ、形状等が第一の部材と同じであるので、第二の部材のみを示す図は説明を簡略化するために省略する。
【００１２】
本実施形態の装身具用部品１は、図１に示すように、二つの花が接合されたように見える形状に形成されている。本実施形態の第一の部材１０は、略円形状に形成された第一の中央部１１と、第一の中央部１１の周端１１ａに一定の間隔ｄ1をあけて連なり第一の中央部１１から放射状に延びるように形成された６つの第一の放射状周辺部１２とを備えている。なお、本実施形態の間隔ｄ1は、第一の中央部１１付近における間隔である。また、以下では、第一の部材を単に部材と、第一の中央部を単に中央部と、第一の放射状周辺部を単に放射状周辺部とも称する。後述する第二の部材についても同様である。
【００１３】
本実施形態の第一の中央部１１付近における一定の間隔ｄ1は、第一の中央部１１付近における放射状周辺部１２の幅ｄ2と略同じに形成されている。ここで、第一の中央部１１付近における放射状周辺部１２の幅というのは、図２に示す位置の幅ｄ2に限られるものではない。例えば図２では、放射状周辺部と放射状周辺部との間の一定の間隔の底部の形状を曲線状に形成しているが、第一の中央部１１の形状をほぼ正十二角形に形成した場合、図２の一部に点線で示すように、この一定の間隔の底部は直線状となり、この一定の間隔ｄ1と放射状周辺部の幅ｄ2は共に正十二角形の一辺の長さと略同じになる。すなわち、本実施形態では、第一の中央部付近というのは、第一の中央部の周端も含む概念である。
【００１４】
また、本実施形態の放射状周辺部１２の形状は花の花弁の形状と同じように、長手方向における中心部辺りの幅が一番広くなるように、また、放射状周辺部１２の中央部１１近傍における幅は、図２に示すように、中央部の周端（中央部と放射状周辺部との境界）から離れるに従って広くなるように形成している。なお、図２では、放射状周辺部の幅は周端から離れる従って一度狭くなり、周端から少し離れたところから徐々に広くなるように形成しているが、本発明はこれに限定されるものではなく、放射状周辺部の幅は中央部の周端から直ぐに徐々に広げるように形成してもよい。すわなち、本発明の放射状周辺部の中央部近傍というのは、中央部の周端を含むものであってもよいし、中央部の周端を含まないものであってもよい。
【００１５】
本実施形態の装身具用部品１を製作するには、先ず、鋏などを用いて豚の生革を、放射状周辺部１２の先端点を通過する外接円の形状に切断する。次に、中央部１１の周端である円周端付近から周辺部に放射状の切り込みを入れ、周辺部を偶数個の部分に区分する。次に、切り込みを入れた周辺部の各部分を一つ置きに切り取る。このとき、切り取る部分の底部の形状は上述したように曲線状にしてもよいし、直線状にしてもよい。最後に、各放射状周辺部がほぼ花弁の形状となるように切り整える。これにより、図２に示す、中央部１１と放射状周辺部１２からなる第一の部材１０を得ることができる。なお、量産するときには、第一の部材１０は、プレスで打ち抜いて製作するようにしてもよい。
【００１６】
また、第一の部材１０の放射状周辺部１２を、図３に示すように、一方の側に曲げる。本実施形態の第一の部材に用いている豚の生革は曲げたときの形状を維持することができる。次に、第一の部材１０の表面、すなわち図３で右側に位置する面にアルコール染料及び（又は）絵の具を用いて色付けを行う。本実施形態の第一の部材１０に用いている豚の生革は透明感があるので、原則として表面か裏面の一方に色付けすれば十分である。もちろん、例えば本実施形態の場合、放射状周辺部１２については、表面だけでなく、裏面、すなわち図３の左側に位置する面に色付けしてもよい。また、第一の部材の中央部の接合される面（図３の左側の面）には、後述するウレタンニス等の仕上げ剤の塗装が容易でないので、この段階で、カビ防止のために薄くウレタン膜を塗布しておく。
【００１７】
上述した第一の部材１０の製作方法と同様の方法で第二の部材２０を製作する。なお、本実施形態では、第二の部材と第一の部材とを区別するために、第二の部材には第一の部材とは別の対応する番号を付している。
【００１８】
次に、第一の部材１０と第二の部材２０とを噛合せるようにして接合する。図４に示すように、第一の部材１０と第二の部材２０とを、互いの放射状周辺部が相手側の放射状周辺部と放射状周辺部の間に位置するように対向させ、図５に示すように、放射状周辺部を相手の部材の放射状周辺部と放射状周辺部との間に嵌め込み、第一の部材１０と第二の部材２０と噛合せるようにして接合する。なお、本実施形態の場合、中央部付近における放射状周辺部の幅ｄ2と間隔ｄ1とが略同じに形成されているので、各放射状周辺部はどの放射状周辺部と放射状周辺部の間にも嵌め込むことができる。しかしながら、例えば第一の部材が中央部付近における幅ｄ2が異なる放射状周辺部を有していたり、中央部付近の間隔ｄ1が異なるものを有していたりするときには、各放射状周辺部は、対応する放射状周辺部と放射状周辺部の間に嵌め込む必要がある。
【００１９】
次に、図５に示すように接合された第一の部材１０と第二の部材２０の放射状周辺部１２，２２の先端部分を、図１に示すように内側に曲げて、全体の形状が二つの花状の部材を接合したような形状に形成する。すなわち、本実施形態の装身具用部品１は、第一の部材１０の放射状周辺部１２と第二の部材２０の中央部２１で一つの花状の形状を形成し、第二の部材２０の放射状周辺部２２と第一の部材１０の中央部１１で一つの花状の形状を形成する。また、各部材の中央部１１，２１の表面には、接着剤等を用いて飾り部材３０，３０を貼り付ける。なお、この飾り部材は省略することが可能である。最後に、全体にウレタンニス等の仕上げ剤を塗布することにより、本実施形態の装身具用部品１の製作が完了する。
【００２０】
本実施形態の装身具用部品１によれば、各部材の中央部付近における放射状周辺部の幅と放射状周辺部と放射状周辺部との間の間隔の幅とを略同じに形成し、放射状周辺部は中央部近傍における幅が中央部の周端から離れるに従って広くなるように形成しているので、第一の部材と第二の部材の放射状周辺部を曲げて、相手側の部材の放射状周辺部と放射状周辺部との間に嵌め込み、両部材を噛合せるようにして接合することにより、接着剤などを使用しなくても、第一の部材と第二の部材とを確実に接合することができる。すなわち、従来の接着剤や両面テープを用いた接合方法では、接合した部材が剥がれることがあったが、本実施形態の装身具用部品１は、意図して剥がさない限り、両部材が剥がれることはない。
【００２１】
また、本実施形態の装身具用部品１によれば、二つの部材のそれぞれにアルコール染料及び（又は）絵の具とウレタンニス等の仕上げ剤を塗布した後に、二つの部材を接合する場合でも、塗布した仕上げ剤等の膜を剥がすことなく両者を接合することができるので、従来の方法に比べて手間がかからない。
【００２２】
また、本実施形態の装身具用部品１によれば、第一の部材と第二の部材とを接合した部分の側部は、放射状周辺部により覆われる構造になっているので、接合した部分は正面や裏面から見えないだけなく、側面からも見えない。したがって、本実施形態の装身具用部品１は、接合部分の側部が外部から見える従来のものに比べて、見栄えの向上を図ることができる。この結果、本実施形態の装身具用部品１は、主に正面から見られるブローチだけでなく、正面や裏面からだけでなく側面からも見られるイヤリングやネックレス等の装身具などにも使用することができる。
【００２３】
［応用例］  図６は、本発明の第１実施形態の応用例であり、第１の実施形態の装身具用部品を用いて製作したネックレスの概略斜視図である。なお、図６では、ネックレス１００の主要部である下部のみを描き、上部の首に掛ける部分は省略している。本応用例のネックレス１００は、第１実施形態の装身具用部品１を３つ用いている。中央の装身具用部品１はその正面が見えるように、左右の装身具用部品１はその側面が見えるように配置し、３つの装身具用部品１の間には、彩色された大小のビーズ１０１を介在させている。
【００２４】
本応用例のネックレス１００は、図６に示すように、装身具用部品１の正面（裏面）だけでなく、装身具用部品１の側面が見えるように配置・形成している。二つの部材を従来の接合方法で接合した装身具は、接合した部分が見える側部はできるだけ見えないようにしていたが、本応用例では、積極的に接合部の側部を見せるようにしている。これは本応用例に固有の効果であり、従来の接合方法では得られない効果である。
【００２５】
［第２実施形態］  図７は本発明の第２実施形態である装身具用部品２の概略斜視図である。図７に示す第２実施形態の装身具用部品２が第１実施形態の装身具用部品１と異なるのは、第１実施形態の装身具用部品１では第一の部材と第二の部材とが同じものであったが、本実施形態の装身具用部品２では第一の部材と第二の部材の色付けを違えている点である。本実施形態のその他の点は、第１実施形態のものと同様である。したがって、図７において、第１実施形態のものと同様の機能を有するものには、同一の符号又は対応する符号を付することにより、その詳細な説明を省略する。かかる省略は後述する第三から第七の実施形態においても同様である。
【００２６】
本実施形態の装身具用部品２は、第一の部材１０ａと、第二の部材２０とを備えている。第一の部材１０ａと第二の部材２０とは、形状は同じであるが、色付けが異なる。なお、本実施形態の飾り部材３０ａは第１実施形態のものとは異なるが、この相違は本質的なものではなく、この飾り部材３０ａは第１実施形態のものと同じものであってもよい。
【００２７】
第２実施形態の装身具用部品２によれば、簡単に表側のデザインと裏側のデザインとが異なる装身具用部品を形成することができる。また、本実施形態の装身具用部品は、表側のデザインと裏側のデザインとが異なるので、第１実施形態のものに比べて、デザインが変化に富んだものとなる。本実施形態のその他の作用・効果は第１実施形態のものと同様である。
【００２８】
［第３実施形態］  図８は本発明の第３実施形態である装身具用部品３の概略斜視図である。図８に示す第３実施形態の装身具用部品３が第１実施形態の装身具用部品１と異なるのは、第１実施形態の装身具用部品１では第一の部材と第二の部材とが同じものであったが、本実施形態の装身具用部品３では第一の部材と第二の部材の形状を違えている点である。本実施形態のその他の点は、第１実施形態のものと同様である。
【００２９】
本実施形態の装身具用部品３は、第一の部材１０ｂと、第二の部材２０とを備えている。本実施形態の第一の部材１０ｂの放射状周辺部１２ｂは第二の部材２０の放射状周辺部２２より、長手方向の長さが長くなるように形成している。なお、第１実施形態では、中央部に飾り部材３０を貼り付けているが、本実施形態では中央部に飾り部材を貼り付けていない。しかしながら、第１実施形態の説明において中央部の飾り部材は省略することができと記載したように、飾り部材が有るか無いかは本質的なものではなく、本実施形態でも、中央部に飾り部材３０を貼り付けるようにしてもよい。
【００３０】
第３実施形態の装身具用部品によれば、簡単に表側のデザインと裏側のデザインとが異なる装身具用部品を形成することができる。また、本実施形態の装身具用部品は、表側のデザインと裏側のデザインとが異なるので、第１実施形態のものに比べて、デザインが変化に富んだものとなる。本実施形態のその他の作用・効果は第１実施形態のものと同様である。
【００３１】
［第４実施形態］  図９は本発明の第４実施形態である装身具用部品４の概略斜視図である。図９に示す第４実施形態の装身具用部品４が第１実施形態の装身具用部品１と異なるのは、第１実施形態の装身具用部品１では第一の部材と第二の部材の中央部１１，２１が円形状であったが、本実施形態の装身具用部品４では第一の部材１０ｃと第二の部材２０ｃの中央部１１ｃ，２１ｃが楕円形状である点と、連結環４０を備えている点である。本実施形態の装身具用部品４のその他の点は、第１実施形態のものと同様である。
【００３２】
本実施形態の装身具用部品４は、第一の部材１０ｃと、第一の部材１０ｃと同じ形状に形成され、同じ色付けがなされた第二の部材２０ｃと、連結環４０とを備えている。本実施形態の第一の部材１０ｃの中央部１１ｃと第二の部材２０ｃの中央部２１ｃはほぼ楕円形状に形成されている。また、本実施形態の装身具用部品４は、ネックレス等に使用するものであるので、ネックレスのチェーンと連結するための連結環４０を有する。この連結環４０は、第一の部材１０ｃ又は第二の部材２０ｃに接着剤等により貼り付けられている。連結環４０の素材は、第一の部材と同じであってもよいし、違っていてもよい。なお、第１実施形態の装身具用部品１の中央部に貼り付けた飾り部材３０と、本実施形態の装身具用部品４の中央部に貼り付けた飾り部材３０ｃとが異なるが、上述したように、その違いは本質的なものではなく、本実施形態の飾り部材３０ｃは第１実施形態の飾り部材３０と同じであってもよい。
【００３３】
本実施形態の装身具用部品４は、第１実施形態のものと同様の作用・効果を奏する。また、本実施形態では、第一の部材と第二の部材が同じである場合について説明したが、本実施形態においても、第一の部材の放射状周辺部と第二の部材の放射状周辺部とは形状及び（又は）色付けが異なるようにしてもよい。
【００３４】
［第５実施形態］  図１０は本発明の第５実施形態である装身具用部品５の概略斜視図である。図１０に示す第５実施形態の装身具用部品５と第１実施形態の装身具用部品１とは、本実施形態の装身具用部品５が匂い袋５０を備えている点で異なる。また、本実施形態の装身具用部品５は、第１実施形態のものとは第一の部材１０ｄの放射状周辺部１２ｄの形状が異なる。本実施形態の装身具用部品５のその他の点は、第１実施形態のものと同様である。
【００３５】
本実施形態の装身具用部品５は、第一の部材１０ｄと、第二の部材２０ｄと、匂い袋５０とを備えている。本実施形態の第一の部材１０ｄの放射状周辺部１２ｄは、一つ置きに、匂い袋５０を囲うように曲げられ、３つの放射状周辺部の先端部を重ねるように形成している。第二の部材２０ｄは第１実施形態のものとほぼ同様の形状に形成されている。なお、図１０では３つの放射状周辺部を、匂い袋を囲うように曲げているが、第一の部材の６つの放射状周辺部の全てを、匂い袋を囲うように曲げてもよい。また、放射状周辺部の先端部は重ねるのではなく、先端部が当接するように形成してもよいし、先端部同士は少し離れるように形成してもよい。すなわち、この放射状周辺部は、匂い袋を収納することができる形状であれば、どのような形状であってもよい。また、匂い袋の代わりに、ポプリ等の他の香料を用いても良い。さらに、本実施形態では、放射状周辺部の先端部の重ねた上に飾り部材３０ｄは貼り付けているが、上述したように飾り部材は本質的なものではないので、この飾り部材３０ｄは省略してもよい。
【００３６】
本実施形態によれば、匂い袋を収納することができ、香りを楽しむことができる。また、本実施形態は、衣服に付けるのではなく、これだけで室内に置く置物として用いてもよい。本実施形態のその他の作用・効果は第１実施形態のものと同様である。また、本実施形態では、第一の部材の放射状周辺部と第二の部材の放射状周辺部とが異なる形状である場合について説明したが、第一の部材と第二の部材とを同じように形成し、第二の部材でも匂い袋を収納することができるようにしてもよい。
【００３７】
［第６実施形態］  図１１は本発明の第６実施形態である装身具用部品６の概略斜視図である。図１１に示す第６実施形態の装身具用部品６と第１実施形態の装身具用部品１とは、第一の部材１０ｅ及び第二の部材２０ｅの放射状周辺部１２ｅ，２２ｅの形状が異なる。本実施形態の装身具用部品６のその他の点は、第１実施形態のものと同様である。
【００３８】
本実施形態の装身具用部品６は、第一の部材１０ｅと、第一の部材１０ｅと同じ形状に形成され、同じ色付けがなされた第二の部材２０ｅとを備えている。本実施形態の第一の部材１０ｅの放射状周辺部１２ｅと第二の部材２０ｅの放射状周辺部２２ｅは、それぞれ略半球状になるように、また、放射状周辺部の先端部が互いに接するように曲げられている。これにより、本実施形態の装身具用部品６は、全体形状が略球状となる。
【００３９】
本実施形態の装身具用部品は、第１実施形態のものと同様の作用・効果を奏する。また、本実施形態では、第一の部材と第二の部材が同じものである場合について説明したが、第一の部材と第二の部材とは形状が同じであれば、色付けは異なるようにしてもよい。
【００４０】
［第７実施形態］  図１２は本発明の第７実施形態である装身具用部品７の概略斜視図である。図１２に示す第７実施形態の装身具用部品７が第１実施形態の装身具用部品１と異なるのは、第１実施形態の装身具用部品１では第一の部材と第二の部材の中央部１１，２１が円形状であったが、本実施形態の装身具用部品７では第一の部材１０ｆと第二の部材２０ｆの中央部１１ｆ，２１ｆが三角形状に形成されている点と、第１実施形態の放射状周辺部は全て同じ形状に形成されていたが、本実施形態では第一の部材及び第二の部材の各々の部材が異なる形状の放射状周辺部を備えている点である。本実施形態の装身具用部品７のその他の点は第１実施形態のものと略同様である。
【００４１】
本実施形態の装身具用部品７は、第一の部材１０ｆと、第一の部材１０ｆと同じ形状に形成され同じ色付けがなされた第二の部材２０ｆとを備えている。本実施形態の第一の部材１０ｆの中央部１１ｆと第二の部材２０ｆの中央部２１ｆは三角形状に形成されている。また、本実施形態の第一の部材１０ｆ及び第二の部材２０ｆの各部材は、形状の異なる放射状周辺部を備えている。本実施形態の第一の部材を製作する場合、先ず豚の生革を、三角形状の第一の中央部１１ｆより一定の長さだけ大きい三角形状に切断する。次に、中央部の周端付近から周辺部に切り込みを入れて整形し、複数の放射状周辺部を形成する。このとき、三角形状に形成された第一の中央部の頂点近くの放射状周辺部は中央部近傍における幅が中央部の周端から離れるに従って広くなるように形成する。一方、第一の中央部の各辺の頂点付近以外の部分に連なる放射状周辺部は、その幅が略同じになるように短冊状に形成する。すなわち、第一の中央部の各辺の頂点付近以外の部分に連なる放射状周辺部は三角形状の中央部の各辺に垂直な切断線により切断して整形する。第二の部材についても同様である。このように構成することにより、製作の際の手間を省いて製作工程を簡素化することができる。なお、本実施形態においても、第１の実施形態と同じように、第一の部材と第二の部材の各々の部材について全ての放射状周辺部を、中央部近傍における幅が中央部の周端から離れるに従って広くなるように形成してもよい。
【００４２】
本実施形態の作用・効果は第１実施形態のものと同様である。また、本実施形態では、第一の部材と第二の部材が同じである場合について説明したが、本実施形態においても、第一の部材の放射状周辺部と第二の部材の放射状周辺部とは形状及び（又は）色付けが異なるようにしてもよい。
【００４３】
［第８実施形態］  図１３は本発明の第８実施形態である装身具用部品８の概略斜視図、図１４（Ａ），（Ｂ）はその装身具用部品８の第一の部材と第二の部材の概略平面図である。図１３及び図１４に示す第８実施形態の装身具用部品８が第１実施形態の装身具用部品１と異なるのは、第１実施形態の装身具用部品１では第一の部材と第二の部材の中央部１１，２１が円形状であったが、本実施形態の装身具用部品８では第一の部材１０ｇと第二の部材２０ｇの中央部１１ｇ，２１ｇが四角形状に形成されている点と、第１実施形態の放射状周辺部は中央部から放射状に延びるように形成されていたが、本実施形態の周辺部はそのように形成されていない点である。本実施形態の装身具用部品８のその他の点は第１実施形態のものと略同様である。
【００４４】
本実施形態の装身具用部品８は、第一の部材１０ｇと第二の部材２０ｇの中央部１１ｇ，２１ｇが図１３及び図１４に示すように略四角形状に形成され、第一の中央部１１ｇには第一の周辺部１２ｇが、第二の中央部２１ｇには第二の周辺部２２ｇが形成されている。第一の部材１０ｇと第二の部材２０ｇの周辺部１２ｇ，２２ｇは、中央部の周端である各辺に垂直となるように形成されている。また、双方の各周辺部１２ｇ，２２ｇの大きさと形状は同じであるが、第一の部材の中央部には長辺に３個、短辺に２個の周辺部が形成され、第二の部材の中央部には長辺に４個、短辺に１個の周辺部が形成されている。また、本実施形態の場合も、図１４（Ｂ）に示す第二の部材２０ｇを裏返して第一の部材１０ｇの上に重ね合わせ、第一の部材１０ｇと第二の部材２０ｇとを対向させたときに、第一の部材１０ｇの周辺部１２ｇが第二の部材２０ｇの周辺部と周辺部の間に位置するように、また第二の部材２０ｇの周辺部２２ｇが第一の部材の周辺部と周辺部の間に位置するように形成されている。
【００４５】
本実施形態の装身具用部品８を製作するには、先ず、豚の生革を図１４（Ａ）に示す第一の部材の形状と、同図（Ｂ）に示す第二の部材の形状に切断する。次に、図１４（Ｂ）に示す第二の部材２０ｇの表面が同図（Ａ）に示す第一の部材１０ｇの表面と合わさるように、同図（Ｂ）に示す第二の部材２０ｇを裏返して第一の部材の上に重ね合わせる。次に、各部材の周辺部を相手の部材側に曲げて、相手の部材の対応する周辺部と周辺部との間に嵌め込み、両部材の周辺部を噛合せるようにして両部材を接合することにより、図１３に示す装身具用部品８が完成する。なお、色付けの方法は第一の実施形態と同様であるので、本実施形態では、その詳細な説明を省略する。
【００４６】
本実施形態で、第一の部材の周辺部と第二の部材の周辺部とが異なるように形成したのは、本装身具用部品８を表側或いは裏側から見たときに、線対称となるように形成し、見栄えの向上を図るためである。なお、本発明は、これに限定されるものではなく、第一の部材と第二の部材とを同じ形状となるように形成してもよい。例えば、両部材の中央部の長辺に３個、短辺に１個の周辺部を形成することにより、両部材を同じ形状に形成することができる。また、本実施形態では、各部材の周辺部の幅は、長さ方向において略同じに形成しているが、各部材の周辺部の幅は、第１の実施形態と同様に、中央部近傍における幅が中央部の周端から離れるに従って広くなるように形成するようにしてもよい。本実施形態のその他の作用・効果は、第１実施形態のものと同様である。
【００４７】
［第９実施形態］  図１５は本発明の第９実施形態である装身具用部品９の概略斜視図、図１６（Ａ），（Ｂ）はその装身具用部品９の第一の部材と第二の部材の概略平面図である。図１５及び図１６に示す第９実施形態の装身具用部品９が第１実施形態の装身具用部品１と異なるのは、第１実施形態の装身具用部品１では第一の部材と第二の部材の中央部１１，２１が円形状であったが、本実施形態の装身具用部品９では第一の部材１０ｈと第二の部材２０ｈの中央部１１ｈ，２１ｈが略三日月形状に形成されている点と、第１実施形態の放射状周辺部は中央部から放射状に延びるように形成されていたが、本実施形態の周辺部はそのようには形成されていない点である。本実施形態の装身具用部品９のその他の点は第１実施形態のものと略同様である。
【００４８】
本実施形態の装身具用部品９は、第一の部材１０ｈと第二の部材２０ｈの中央部１１ｈ，２１ｈが図１５及び図１６に示すように略三日月形状に形成され、第一の中央部１１ｈには第一の周辺部１２ｈが、第二の中央部２１ｈには第二の周辺部２２ｈが形成されている。また、各部材の中央部の凸状円弧の周端には放射状に延びる周辺部１２ｈ1が形成され、各部材の中央部の凹状円弧の周端には収束するように延びる周辺部１２ｈ2が形成され、更に各部材の中央部の直線状に形成された両側の周端にはその周端から略垂直に延びる周辺部１２ｈ3が形成されている。また、第一の部材の中央部１１ｈの凸状円弧の周端には１０個の周辺部が、その凹状円弧の周端には７個の周辺部が、両側の周端には各々の１個の周辺部が形成されている。一方、第二の部材の中央部２１ｈの凸状円弧の周端には９個の周辺部が、その凹状円弧の周端には８個の周辺部が、両側の周端には各々の１個の周辺部が形成されている。したがって、本実施形態の第一の部材１０ｈと第二の部材２０ｈでは、周辺部の形成されている位置が異なる。また、本実施形態の場合も、図１６（Ｂ）に示す第二の部材２０ｈを裏返して第一の部材１０ｈの上に重ね合わせて第一の部材１０ｈと第二の部材２０ｈとを対向させたときに、第一の部材１０ｈの周辺部１２ｈが第二の部材２０ｈの周辺部と周辺部の間に位置するように、また第二の部材２０ｈの周辺部２２ｈが第一の部材の周辺部と周辺部の間に位置するように形成されている。
【００４９】
本実施形態の装身具用部品９を製作するには、先ず、豚の生革を図１６（Ａ）に示す第一の部材の形状と、同図（Ｂ）に示す第二の部材の形状に切断する。次に、図１６（Ｂ）に示す第二の部材２０ｈの表面が同図（Ａ）に示す第一の部材１０ｈの表面とが合わさるように、同図（Ｂ）に示す第二の部材２０ｈを裏返して第一の部材１０ｈの上に重ね合わせる。次に、各部材の周辺部を相手の部材側に曲げて、相手の部材の対応する周辺部と周辺部との間に嵌め込み、両部材の周辺部を噛合せるようにして両部材を接合することにより、図１５に示す装身具用部品９が完成する。なお、色付けの方法は、第一の実施形態と同様であるので、本実施形態では、その詳細な説明を省略する。
【００５０】
本実施形態で第一の部材の周辺部と第二の部材の周辺部が異なるように形成したのは、本装身具用部品９を表側或いは裏側から見たときの見栄えの向上を図るためである。なお、本発明は、これに限定されるものではなく、第一の部材と第二の部材を同じ形状となるように形成してもよい。本実施形態の装身具用部品９によれば、第一の部材と第二の部材の中央部の凹状円弧の周端の内側にネックレスの紐を通すことにより、本装身具用部品９を容易にネックレスの紐に掛止することがき、また、本実施形態の装身具用部品一つだけでも、ネックレスを形成することができる。本実施形態のその他の作用・効果は、第１実施形態のものと同様である。
【００５１】
［第１０実施形態］  図１７は本発明の第１０実施形態である装身具用部品１０の概略斜視図、図１８はその装身具用部品１０の基部材６０の概略平面図である。本実施形態の装身具用部品１０は、図１７及び図１８に示すように、中央部６１と、中央部６１の周端に間隔をあけて連なり中央部６１から延びるように形成された複数の周辺部６２と、折り曲げ部６３とを有する基部材６０を備えている。なお、本実施形態の基部材６０は第１実施形態の第一の部材と第二の部材とを繋げたものと同等であり、中央部６１は第１実施形態の第一の中央部と第二の中央部とを繋げたものと同等であるので、説明の便宜上、本実施形態でも、基部材６０を第１実施形態と同様に第一の部材１０ｉと第二の部材２０ｉとに分けて説明する。また、図１７及び図１８では、混乱を避けるため、第１実施形態のものと対応する部分の番号は括弧を付けて記載している。
【００５２】
図１７及び図１８に示す第１０実施形態の装身具用部品１０が第１実施形態の装身具用部品１と異なるのは、第１実施形態の装身具用部品１では第一の部材と第二の部材の中央部１１，２１が円形状であったが、本実施形態の装身具用部品１０では第一の部材１０ｉと第二の部材２０ｉの中央部１１ｉ，２１ｉが略半楕円形状に形成されている点と、第１実施形態では第一の部材と第二の部材とは互いに独立した別体であったが、本実施形態の第一の部材１０ｉと第二の部材２０ｉは繋がっている点である。本実施形態の装身具用部品１０のその他の点は第１実施形態のものと略同様である。
【００５３】
本実施形態の装身具用部品１０は、第一の部材１０ｉと第二の部材２０ｉの中央部１１ｉ，２１ｉが図１７及び図１８に示すように略半楕円形状に形成されている。各部材の中央部１１ｉ，２１ｉは境界線（図１８の一点鎖線）６０ｉを介して繋がっており、二つの部材の繋がった中央部の全体形状は、略楕円形状となるように形成されている。ここで、境界線は中央部６１の二等分割する二等分線である。また、本実施形態の周辺部１２ｉ，２２ｉは、二つに繋がった中央部１１ｉ，２１ｉから放射状に延びるように形成されている。第一の中央部１１ｉには合計９個の第一の周辺部１２ｉが、第二の中央部２１ｉには合計８個の第二の周辺部２２ｉが形成されている。なお、本実施形態では、第一の周辺部の数を第二の周辺部より一つ多く形成しているが、第一の周辺部と第二の周辺部とを同数だけ形成するようにしてもよい。また、本実施形態の場合も、図１７及び図１８に示すように第一の部材１０ｉと第二の部材２０ｉとを境界線６０ｉで折り曲げて重ねるように対向させたときに、第一の部材１０ｉの周辺部１２ｉが第二の部材２０ｉの周辺部と周辺部の間に位置するように、また第二の部材２０ｉの周辺部２２ｉが第一の部材の周辺部と周辺部の間に位置するように形成されている。また、第一の中央部１１ｉ付近における周辺部１２ｉの幅と、第二の中央部２１ｉの対応する周辺部と周辺部の間隔とを略同じ大きさに形成し、第二の中央部２１ｉ付近における周辺部２２ｉの幅と、第一の中央部の対応する周辺部と周辺部の間隔とを略同じ大きさに形成している。
【００５４】
本実施形態の装身具用部品１０を製作するには、先ず、豚の生革を図１８に示すように、境界線６０ｉを介して繋がった第一部材１０ｉと第二の部材２０ｉの形状に切断する。次に、図１８に示す境界線６０ｉで谷折りに折り曲げて第二の部材２０ｉを第一の部材１０ｉの上に重ね合わせる。次に、各部材の周辺部を相手の部材側に曲げて、相手の部材の対応する周辺部と周辺部との間に嵌め込み、両部材の周辺部を噛合せるようにして両部材を接合することにより、図１７に示す装身具用部品１０が完成する。なお、色付けの方法は、第一の実施形態と同様であるので、本実施形態では、その詳細な説明を省略する。
【００５５】
本実施形態の装身具用部品１０によれば、第一の部材と第二の部材とを接合した部分の側部は、各部材の周辺部１１ｉ，２１ｉと、折り曲げ部６３により覆われる構造になっているので、接合した部分は正面や裏面から見えないだけなく、側面からも見えない。したがって、本実施形態の装身具用部品１０は、接合部分の側部が外部から見える従来のものに比べて、見栄えの向上を図ることができる。また例えば、本実施形態の装身具用部品１０をネックレスに用いる場合、ネックレスの紐部を折り曲げ部６３の内側に通すことにより、本実施形態の装身具用部品１０をネックレスの紐部に容易に掛止することができる。本実施形態のその他の作用・効果は、第１実施形態のものと同様である。
【００５６】
尚、本発明は上記の実施形態に限定されるものではなく、その要旨の範囲内において種々の変形が可能である。例えば、上記の実施形態では、第一の部材及び第二の部材の素材として、豚の生革を用いる場合について説明したが、本発明はこれに限定されるものではなく、第一の部材及び第二の部材の素材としては、一般的な革、紙、プラスチック等の樹脂、或いは金属等のように、素材を曲げたときに、その曲げた形状を維持することができる素材であれば、どのような素材であってもよい。また、第一の部材と第二の部材は素材が異なるものであってもよい。
【００５７】
また、本発明の第一の部材及び第二の部材の中央部は、上記の実施形態で説明した円形状や楕円形状や三角形状等に限定されるものではなく、例えば三角形状以外の多角形状、半円形状等であってもよい。また、上記の第１〜第７実施形態では、第一の放射状周辺部と第二の放射状周辺部とが異なる場合の例として、放射状周辺部の長さや色付けが異なる場合について説明したが、本発明はこれらに限定されるものではなく、例えば、両者の外形は同じで、その一方に丸や四角や花形などの貫通孔が形成されているような場合であってもよい。第８〜第１０実施形態の第一の周辺部と第二の周辺部についても同様である。
【００５８】
また、上記の第１〜第６の実施形態では、第一の部材及び第二の部材について各々の部材の放射状周辺部を全て同じ形状に形成しているが、本発明はこれに限定されるものではない。例えば、放射状周辺部の、中央部近傍における幅が中央部の周端から離れるに従って広くなるように形成するのは、各部材について少なくとも２個形成すれば、第一の部材と第二の部材を確実に接合することができるので、他の放射状周辺部は、例えば第７実施形態と同じように、短冊状に形成するようにしてもよい。第９及び第１０実施形態においても、同様に、中央部近傍における幅が中央部の周端から離れるに従って広くなるように形成するのは、各部材について少なくとも２個形成すれば、第一の部材と第二の部材を確実に接合することができる。
【００５９】
また、上記の第１〜第７実施形態では、放射状周辺部は中央部の周端に一定の間隔をあけて連なるように形成し、また、第一の部材と第二の部材について中央部付近における放射状周辺部の幅と前記一定の間隔とが略同じになるように形成する場合について説明したが、本発明はこれに限定されるものではない。例えば、第一の中央部付近における第一の放射状周辺部の幅と、対応する第二の部材の中央部付近における放射状周辺部と放射状周辺部の間隔と、を略同じ大きさに形成し、第二の中央部付近における第二の放射状周辺部の幅と、対応する第一の部材の中央部付近における放射状周辺部と放射状周辺部の間隔と、を略同じ大きさに形成し、第一の部材と第二の部材について一方の部材の放射状周辺部を他方の部材の対応する放射状周辺部と放射状周辺部の間に嵌め込むことができれば、例えば、第一の部材及び第二の部材の各部材は中央部付近における幅が異なる放射状周辺部を有するように形成してもよいし、中央部付近における放射状周辺部と放射状周辺部の間隔について異なる間隔を有するように形成してもよい。更に、第一の部材と第二の部材の各部材について中央部付近における放射状周辺部の幅と、放射状周辺部と放射状周辺部の間隔と、が異なるように形成してもよい。これにより装身具用部品の形状をより変化に富んだものにすることができる。第８〜第１０実施形態でも同様である。
【００６０】
また、上記の本実施形態では、第一の部材と第二の部材とは、接着剤等の接着手段を用いずに接合する場合について説明したが、第一の部材と第二の部材とは、接着剤や両面テープ等の接着手段を用いて接着するようにしてもよい。
【００６１】
また、上記の本実施形態では、第一の部材と第二の部材をシート状の素材から形成する場合について説明したが、第一の部材と第二の部材とは厚さの厚い素材を用いて形成するようにしてもよい。
【００６２】
また、上記の本実施形態では、第一の部材と第二の部材とを、直接、接するように接合する場合について説明したが、第一の部材と第二の部材とは、間に中間部材を介在させて接合するようにしてもよい。この場合の中間部材の素材は、第一の部材や第二の部材と同じであっても良いし、スポンジ等のように曲げたときに、その曲げた形状を維持することができないような素材であっても良い。
【００６３】
また、上記の実施形態では装身具用部品について説明したが、本発明は装身具用部品に限定されるのではなく、例えば、携帯電話のストラップ、各種のカーアクセサリ、置物等の室内装飾品、ティッシュペーパー用ケースや箸置きなどの日用品などであってもよい。
【産業上の利用可能性】
【００６４】
以上説明したように、本発明の噛合せ構造体によれば、第一の部材と第二の部材の放射状周辺部を曲げて相手の放射状周辺部間の間に嵌め込み、両部材を噛合せるようにして接合することにより、接着剤などの接着手段を使用しなくても、両部材を確実に接合することができ、また、第一の部材と第二の部材を接合した部分の側部は、曲げた放射状周辺部により覆われるので、外部に露出せず、この結果、見栄えの向上を図ることができる。したがって、本発明は装身具や日用品等に適用することができる。
【図面の簡単な説明】
【００６５】
【図１】図１は本発明の第１実施形態である装身具用部品（接合構造体）の概略斜視図である。
【図２】図２は第１実施形態の装身具用部品の第一の部材の概略正面図である。
【図３】図３は第１実施形態の装身具用部品の第一の部材を曲げた状態の概略斜視図である。
【図４】図４は第１実施形態における噛合せ技法を説明するための概略斜視図である。
【図５】図５は第１実施形態における噛合せ技法を説明するための概略斜視図である。
【図６】図６は本発明の第１実施形態の応用例であり、第１の実施形態の装身具用部品を用いて製作したネックレスの概略斜視図である。
【図７】図７は本発明の第２実施形態である装身具用部品２の概略斜視図である。
【図８】図８は本発明の第３実施形態である装身具用部品３の概略斜視図である。
【図９】図９は本発明の第４実施形態である装身具用部品４の概略斜視図である。
【図１０】図１０は本発明の第５実施形態である装身具用部品５の概略斜視図である。
【図１１】図１１は本発明の第６実施形態である装身具用部品６の概略斜視図である。
【図１２】図１２は本発明の第７実施形態である装身具用部品７の概略斜視図である。
【図１３】図１３は本発明の第８実施形態である装身具用部品８の概略斜視図である。
【図１４】図１４（Ａ）は第８実施形態の装身具用部品８の第一の部材の概略平面図、同図（Ｂ）はその第二の部材の概略平面図である。
【図１５】図１５は本発明の第９実施形態である装身具用部品９の概略斜視図である。
【図１６】図１６（Ａ）は第９実施形態の装身具用部品９の第一の部材の概略平面図、同図（Ｂ）はその第二の部材の概略平面図である。
【図１７】図１７は本発明の第１０実施形態である装身具用部品１０の概略斜視図である。
【図１８】図１８は第１０実施形態の装身具用部品１０の基部材６０の概略平面図である。
【符号の説明】
【００６６】
１〜１０    装身具用部品
１０，１０ａ〜１０ｉ    第一の部材
２０，２０ｃ〜２０ｉ    第二の部材
１１，１１ａ〜１１ｉ    第一の中央部
１２，１２ａ〜１２ｆ    第一の放射状周辺部
２１，２１ｃ〜２１ｉ    第二の中央部
２２，２２ｃ〜２２ｆ    第二の放射状周辺部
１２ｇ〜１２ｉ    第一の周辺部
２２ｇ〜２２ｉ    第二の周辺部
３０，３０ａ，３０ｃ，３０ｄ    飾り部材
４０    連結環
５０    匂い袋
６０    基部材
６１    中央部
６２    周辺部
６３    折り曲げ部
１００    ネックレス
【図１】
2010075476.tif 000003
【図２】
2010075476.tif 000004
【図３】
2010075476.tif 000005
【図４】
2010075476.tif 000006
【図５】
2010075476.tif 000007
【図６】
2010075476.tif 000008
【図７】
2010075476.tif 000009
【図８】
2010075476.tif 000010
【図９】
2010075476.tif 000011
【図１０】
2010075476.tif 000012
【図１１】
2010075476.tif 000013
【図１２】
2010075476.tif 000014
【図１３】
2010075476.tif 000015
【図１４】
2010075476.tif 000016
【図１５】
2010075476.tif 000017
【図１６】
2010075476.tif 000018
【図１７】
2010075476.tif 000019
【図１８】
2010075476.tif 000020